(57)【要約】      （修正有）【課題】異なる巻芯径のテープを取り付けて使用することができるテープカッターを提供する。【解決手段】本テープカッター１は、フレーム２と、机上に置かれたときにフレームの上方における横方向の一方の側の端に位置してフレームの幅方向に伸びたテープ切断用の刃２６を備えた切断部５と、テープＭの巻芯の内側に差し入れられてテープを保持する巻芯保持部３と、を有し、巻芯保持部は、取り付けを予定するテープの巻芯内において巻芯に対して上下方向および横方向に相対移動可能な保持部２１を有し、巻芯保持部が、保持部の軸心を幅方向として横方向の他方の側におけるフレームの上方に固定または支持されている。【選択図】図１
0003155222.tif 000002
【実用新案登録請求の範囲】
【請求項１】
フレームと、
机上に置かれたときに前記フレームの上方における横方向の一方の側の端に位置して前記フレームの幅方向に伸びたテープ切断用の刃を備えた切断部と、
テープの巻芯の内側に差し入れられて前記テープを保持する巻芯保持部と、を有し、
前記巻芯保持部は、
取り付けを予定する前記テープの巻芯内において前記巻芯に対して上下方向および前記横方向に相対移動可能な保持部を有し、
前記巻芯保持部が、前記保持部の軸心を前記幅方向として前記横方向の他方の側における前記フレームの上方に固定または支持されている
ことを特徴とするテープカッター。
【請求項２】
机上に置かれたとき前記刃および前記保持部よりも下方における前記刃および前記保持部の間に配され、略巻芯保持部側を向く面を備えた係止部を有する
請求項１に記載のテープカッター。
【請求項３】
前記係止部は、
弾性変形が可能に形成されて、前記テープを引き出すときの前記テープの振動を軽減させ前記巻芯と前記巻芯保持部との間で滑らかな引張り感を実現する
請求項１または請求項２に記載のテープカッター。
【請求項４】
前記巻芯保持部は、
軸方向の両側に、中央側から外方に向かうにつれて外径が大きくなるテーパー状の円錐台部を有する
請求項１ないし請求項３のいずれか１項に記載のテープカッター。
【請求項５】
略箱状の収容部を有し、
前記収容部は、
前記保持部の軸心と平行な揺動軸を有して机上に置かれたとき前記切断部の下方において前記揺動軸を下方に位置させて前記フレームに一体化されている
請求項１ないし請求項４のいずれか１項に記載のテープカッター。
【請求項６】
前記フレームは、
机上に置かれたとき机上に対面する部分に下方に突出する矩形の凸部を備え、
前記凸部の突出面およびその周囲が粘着ゲルシートにより覆われた
請求項１ないし請求項５のいずれか１項に記載のテープカッター。
【考案の詳細な説明】
【技術分野】
【０００１】
本考案は、セロハンテープ等を保持するテープカッターに関する。
【背景技術】
【０００２】
セロハンテープは、我が国において戦後広く民間の事業所、官公庁、学校および家庭に普及した文房具である。セロハンテープは、その手軽さから、書類の補修、掲示板への連絡書面の貼付、および販売商品の包装等に利用され、日常の活動に欠かせないものとなっている。
セロハンテープは、その使用される場所および目的等に応じて、種々の幅、長さおよび巻芯直径のものが市販されている。
セロハンテープは、家庭では購入したときに付属する簡易カッター取り付けて使用されることが多い。一方、セロハンテープの使用頻度の高い商店、事務所および製造所等では、その使い勝手の良さから、図６に例示される別売のテープカッター７に取り付けて使用されることが多い。
【０００３】
図６に示されるテープカッター７は、それ自体完成されたものであるが、さらに、小型軽量化を図ったテープカッター（特許文献１）およびセロハンテープの引き出し長さを知る工夫がなされたテープカッター（特許文献２）が提案されている。
【先行技術文献】
【特許文献】
【０００４】
【特許文献１】実開平４−６５２４８号公報
【特許文献２】実開平５−６１１６４号公報
【考案の概要】
【考案が解決しようとする課題】
【０００５】
従来のテープカッター７は、付属するリール７２がセロハンテープＭの巻芯７１に嵌め込まれ、このリール７２が本体７３のリール受け溝７４に収容されて使用される。セロハンテープＭに嵌め込まれたリール７２は、その回転軸がリール受け溝７４内で自由に回転することにより、テープを容易に引き出すことができる。
ところで、市販されるセロハンテープＭの巻芯径は、多くが７６ｍｍおよび２５ｍｍのいずれかであり、図６に示されるテープカッター７のリール７２は、巻芯径が７６ｍｍのセロハンテープに対応する。したがって、テープカッター７に巻芯径が２５ｍｍのセロハンテープを取り付けることができない。
【０００６】
このように、図６に示されるテープカッター７および特許文献１，２で提案されたテープカッターを含め、現在入手できる別売りのテープカッターは、特定の大きさの径を有する巻芯に巻き取られたセロハンテープにのみ使用可能である。
しかし、緊急の作業において特定の巻芯に巻かれたセロハンテープの在庫が切れ、これと異なる巻芯径のセロハンテープを使用せざるを得ない場合に、従来のテープカッターでは対応することができない。
本考案は、上述の問題に鑑みてなされたもので、異なる巻芯径のテープを取り付けて使用することができるテープカッターを提供することを目的とする。
【課題を解決するための手段】
【０００７】
本考案に係るテープカッターは、フレームと、机上に置かれたときに前記フレームの上方における横方向の一方の側の端に位置して前記フレームの幅方向に伸びたテープ切断用の刃を備えた切断部と、テープの巻芯の内側に差し入れられて前記テープを保持する巻芯保持部と、を有し、前記巻芯保持部は、取り付けを予定する前記テープの巻芯内において前記巻芯に対して上下方向および前記横方向に相対移動可能な保持部を有し、前記巻芯保持部が、前記保持部の軸心を前記幅方向として前記横方向の他方の側における前記フレームの上方に固定または支持されている。
【０００８】
好ましくは、前記テープカッターは、机上に置かれたとき前記刃および前記保持部よりも下方における前記刃および前記保持部の間に配され、略巻芯保持部側を向く面を備えた
係止部を有する。
前記係止部は、弾性変形が可能に形成されて、前記テープを引き出すときの前記テープの振動を軽減させ前記巻芯と前記巻芯保持部との間で滑らかな引張り感を実現する。
前記巻芯保持部は、軸方向の両側に、中央側から外方に向かうにつれて外径が大きくなるテーパー状の円錐台部を有する。
【０００９】
前記テープカッターは、略箱状の収容部を有し、前記収容部は、前記保持部の軸心と平行な揺動軸を有して机上に置かれたとき前記切断部の下方において前記揺動軸を下方に位置させて前記フレームに一体化されている。
好ましくは、前記フレームは、机上に置かれたとき机上に対面する部分に下方に突出する矩形の凸部を備え、前記凸部の突出面およびその周囲が粘着ゲルシートにより覆われている。
上記したように「幅方向」とはテープカッターにおいてテープ切断用の刃が伸びる方向であり、保持されるテープの巻芯の軸方向でもある。上記における「横方向」とは、テープカッターが机上等の水平面に置かれたときの上下方向および幅方向のいずれにも直交する方向である。
【００１０】
また、上記において保持部を説明する「上下方向および前記横方向に相対移動可能な」における「相対移動」は、実際には取り付けられたテープが保持部に対して移動可能なことを意味するものである。
【考案の効果】
【００１１】
本考案によると、異なる巻芯径のテープを取り付けて使用することができるテープカッターを提供することができる。
【図面の簡単な説明】
【００１２】
【図１】図１は本考案に係るテープカッターの上方からの斜視図である。
【図２】図２はテープカッターの下方からの斜視図である。
【図３】図３はテープカッターの正面断面図である。
【図４】図４はテープカッターにセロハンテープが取り付けられた様子を示す図である。
【図５】図５は巻芯径大のセロハンテープが係止部に係止される様子示す図である。
【図６】図６は従来のテープカツターの斜視図である。
【考案を実施するための形態】
【００１３】
図１は本考案に係るテープカッター１の上方からの斜視図、図２はテープカッター１の下方からの斜視図、図３はテープカッター１の正面断面図である。
テープカッター１は、フレーム２、巻芯保持部３、係止部４、切断部５および収容部６からなる。
フレーム２は、図１および図２において一点鎖線で示されるように、上下面が細長い長方形の直方体ＲＰを基本形状とする。フレーム２は、直方体ＲＰの長手方向の一方の側面を形成する平板状の側壁（「第１側壁部１１」という）、他方の側面を形成する平板状の側壁（「第２側壁部１２」という）、ならびにいずれも直方体ＲＰの下面の一部を形成する板状の第１連結部１３および第１連結部１４からなる。
【００１４】
なお、テープカッター１の説明において、「上」および「下」等は、テープカッター１が机上に置かれた場合を想定したものである。また、「横方向」とは上下方向に直交する直方体ＲＰの長手方向をいい、「幅」または「幅方向」とは上下方向および横方向のいずれにも直交する方向をいう。
第１側壁部１１は、上方の横方向における一方の端近傍に巻芯保持部３が一体化され、上方の横方向における他方の端に切断部５が一体化されている。
第２側壁部１２は、第１側壁部１１に固定された巻芯保持部３に対向する部分が欠けている点を除き、第１側壁部１１と同一形状である。第２側壁部１２におけるこの欠けた部分ＢＰの大きさは、使用を予定するセロハンテープＭを幅方向から巻芯保持部３に取り付けるときに障害とならない十分なものである（図３参照）。
【００１５】
第２側壁部１２は、第１側壁部１１と所定の間隔をおいて平行に、かつ欠けた部分ＢＰを除いて第１側壁部１１にぴったり重なるように配され、下端における横方向両端近傍で、第１連結部１３および第２連結部１４により第１側壁部１１と連結されている。また、第２側壁部１２は、切断部５および後に説明する係止部４によっても、第１側壁部１１と連結されている。
第１連結部１３および第２連結部１４は、いずれも下面から突出する形状が矩形の凸部１５，１６を備えている。第１連結部１３および第２連結部１４は、凸部１５，１６の突出端面を含む下面が、粘着ゲルシート１７，１８により被覆されている。
【００１６】
粘着ゲルシート１７，１８は、凸部１５，１６の表面およびその周囲を含む第１連結部１３および第２連結部１４の外表面全体に貼り付けられており、図３に一部示されるように、凸部１５，１６の周囲で横方向に対して表面が傾斜している。そのため、粘着ゲルシート１７，１８は、第１連結部１３および第２連結部１４の外表面全体ではなく、適度な面積で机上等に粘着し、テープカッター１の移動時に、適度な力で剥がすことができる。
なお、図１ないし図３において、第１側壁部１１および第２側壁部１２がフレーム２の基本形状（直方体ＲＰ）からはみ出しているのは、デザイン上の配慮がなされた結果である。フレーム２は、巻芯保持部３、係止部４および切断部５が所定の位置関係を有する範囲で、直方体ＲＰを変形することができる。
【００１７】
巻芯保持部３は、円柱状の円柱状部２１、１対の円錐台部２２，２３および１対の鍔部２４，２５からなる。
円錐台部２２，２３は、形状が円錐台であり、軸心を円柱状部２１の軸心に一致させて、上底面がそれぞれ円柱状部２１の異なる一方の端に連続する。鍔部２４，２５は、円板状であり、その中心を円柱状部２１の軸心に一致させて、それぞれ円錐台部２２，２３の異なる一方の下底面に一体化されている。鍔部２４，２５は、その径が円錐台部２２，２３の下底面の径よりも大きい。また、鍔部２４，２５は、その径が、テープカッター１に取り付けが予定されるセロハンテープＭのいずれの巻芯径よりも小さい。巻芯保持部３は、第１側壁部１１の第２側壁部１２側を向く面における上方の横方向の一方の端近傍に、軸心を第１側壁部１１に直交させて固定されている。
【００１８】
係止部４は、テープカッター１の上下方向および横方向の略中央で、幅方向に所定の幅を有して巻芯保持部３側に凸状に湾曲する板状部分である。係止部４の湾曲する巻芯保持部３側を向く表面における母線は、巻芯保持部３の軸心に平行である。係止部４は、横方向外方からの力に対して弾性変形可能な厚さに形成されている。
切断部５は、第１側壁部１１および第２側壁部１２の間の、上方の横方向における巻芯保持部３が固定された側とは反対側の端に設けられている。切断部５には、鋸刃状の刻み目を有する金属薄板による刃２６が、刻み目の鋭い先を上に向けて備えられている。切断部５は、図６に示される従来のテープカッター７に備えられたものと同じである。
【００１９】
収容部６は、底部２７が曲面ではなく２平面が組み合わされて形成された点を除き、その形状がバケット状である。ここで、「バケット」とは、油圧ショベル等に取り付けられるバケットである。収容部６は箱ともいえる。収容部６は、その深さが横方向に変化し、最も深さが深い部分（図１における横方向外方側）における両側面（第１側壁部１１および第２側壁部１２に平行な側面）には、幅方向外方に突出して断面が円形の揺動軸２８が設けられている。収容部６は、揺動軸２８が設けられた側をテープカッター１の横方向の端側に位置させて、幅方向両側の揺動軸２８が第１側壁部１１および第２側壁部１２にそれぞれ設けられた軸孔２９に揺動可能に嵌め入れられている。
【００２０】
収容部６は、横方向両側の側壁３０，３１がいずれも上方に飛び出ている。フレーム２には、収容部６の上方であって外方の側壁３０の上端よりも低い位置における第１側壁部１１および第２側壁部１２の間に、第１連結部１３および第２連結部１４と平行に、板状の蓋部３２が設けられている。
収容部６は、図３に示されるように、内方側に揺動したとき、外方の側壁３０が蓋部３２の外方端に当接して揺動が停止する。このとき、収容部６は、蓋部３２、および蓋部３２に連続して第１連結部１３および第２連結部１４の上端をつなぐ部分により蓋をされる
。収容部６は、外方側に揺動したとき、内方の側壁３１の上端が蓋部３２の下面に当接して、揺動が停止する。この状態で、収容部６が開放され、その中にクリップ等を収容し又はクリップ等を取り出すことができる。
【００２１】
図４はテープカッター１に巻芯７１の径が異なるセロハンテープＭ（Ｌ），Ｍ（Ｓ）が取り付けられた様子を示す図である。
図４（ａ）は巻芯径が７６ｍｍのセロハンテープＭ（Ｌ）を、図４（ｂ）は巻芯径が２５ｍｍのセロハンテープＭ（Ｓ）を取り付けた図である。
いずれのテープカッターも、セロハンテープＭ（Ｌ），Ｍ（Ｓ）が継続して使用されている時には、次の使用の便利のため、繰り出されたテープの端近傍が切断部に付着した状態である。
【００２２】
例えば、図６に示される従来のテープカッター７では、セロハンテープＭは、巻芯７１の径と略同じ外径を有するリール７２に密着して保持されているので、繰り出され切断部７５に付着するテープに加わる力は極めて少なく、テープが切断部７５から剥がれるおそれが少ない。
本考案に係るテープカッター１では、セロハンテープＭ（Ｌ），Ｍ（Ｓ）が巻芯保持部３の周りを自由に移動できる。そのため、テープを繰り出すときには、セロハンテープＭ（Ｌ），Ｍ（Ｓ）は全体が繰り出す側、つまり切断部５側に移動する。そして、繰り出されたテープをカットした後には、セロハンテープＭ（Ｌ），Ｍ（Ｓ）の自重により、セロハンテープＭ（Ｌ），Ｍ（Ｓ）は下方に移動し易い。
【００２３】
特に巻芯径が大きく全体の重さＷが大きなセロハンテープＭ（Ｌ）が取り付けられた場合には、セロハンテープＭ（Ｌ）が巻芯保持部３の上端に係止されるまで下方に移動すると（図５のセロハンテープＭＬ参照）、切断部５に付着したテープの端に大きな力が加わり、テープが切断部７５から剥がれ易くなる（図４（ａ））。
係止部４は、このとき、セロハンテープＭ（Ｌ）の自重Ｗによって切断部５に付着したテープの端に加わる力を、テープが切断部５から剥がれない程度にまで軽減する働きをする（図５参照）。また、係止部４は、弾性変形が可能に形成されていることにより、テープを引き出すときのテープの振動を軽減させ、巻芯７１と巻芯保持部３との間で滑らかな引張り感を実現する。
【００２４】
テープカッター１では、繰り出されたテープによる切断部５側へのセロハンテープＭ（Ｌ）の移動は、巻芯保持部３に巻芯７１が係止されることにより所定の位置で停止される。テープが切断されその端近傍が切断部５に付着したとき、セロハンテープＭ（Ｌ）は、その下表面が係止部４の上面に係止される。したがって、セロハンテープＭ（Ｌ）は、係止部４により巻芯保持部３側および下方への移動が制限され、テープ端の切断部５への小さな付着力ＡＰによっても、テープ端の切断部５への付着状態が維持される。
テープカッター１は、取り付けを予定する最大巻芯径のセロハンテープＭの巻芯７１が巻芯保持部３に係止されたときに、係止部４が、平面視（テープカッター１を上から見たとき）において、巻芯７１の内側に位置するように配置される。また、係止部４は、円柱状部２１の横方向最外方部分３４からの内方に向けた横方向距離が、テープカッター１が取り付けを予定する最大巻芯径のセロハンテープＭの巻芯内径の２分の１以上となるように配置される。
【００２５】
ここで、横方向距離の基準となる係止部４における部分は、円柱状部２１の横方向最外方部分３４からの距離が最小となる係止部４の巻芯保持部３側を向く表面の特定部分である。図５において、円柱状部２１の横方向最外方部分３４からの最小の距離は線ＬＮで示され、円柱状部２１の横方向最外方部分３４からの距離が最小となる係止部４の巻芯保持部３側を向く表面の特定部分は点Ｎで示される。
なお、巻芯保持部３における円錐台部２２，２３は、形状が円錐台状（その表面がテーパー状）であり、セロハンテープＭの巻芯７１の内面を点で支持する。そのため、セロハンテープＭが引き出されるときの回転する巻芯７１との摩擦抵抗が小さく、テープの引き出しを小さな力で行うことができる。
【００２６】
係止部４を、湾曲面を有するものでなく、図５の右下に示されるような、略巻芯保持部
３側を向く表面を備えた傾斜する平板状の係止部４Ｂとしてもよい。
図４（ｂ）に示されるように、テープカッター１に、巻芯７１の径が小さく全体として自重の小さなセロハンテープＭ（Ｓ）が取り付けられた場合には、セロハンテープＭ（Ｓ）が下方に移動するときに繰り出されたテープ長さを維持するように空転して、テープの端の切断部５への付着が維持される。
テープカッター１は、全体の大きさ、第１側壁部１１と第２側壁部１２との間隔および刃２６を変更することにより、両面テープ、メンディングテープ等巻芯内径が異なる他の種類のテープにも使用することができる。
【００２７】
上述の実施形態において、巻芯保持部３を第１側壁部１１に片持ちさせるのではなく、第２側壁部１２にも支持させるように形成してもよい。その場合には、テープの取り付けおよび空巻芯の取り外しのために、巻芯保持部をフレーム２に着脱自在とする。
巻芯保持部３を、円錐台部２２，２３を有しない、円柱状の円柱状部２１および鍔部２４，２５で形成されたものとしてもよい。また、円柱状部２１の外周に、その母線に沿って伸びて外方に突出する凸状の帯を周方向に等間隔に配して、例えば断面が歯車状の巻芯保持部を構成してもよい。巻芯保持部３は、原則として、鍔部２４，２５を除く部分が、取り付けを予定するテープの巻芯７１内において巻芯７１に対して上下方向および横方向に相対移動可能であり、かつ巻芯７１の回転を妨げなければ、その断面形状を問わない。
【００２８】
その他、テープカッター１、およびテープカッター１の各構成または全体の構造、形状、寸法、個数、材質などは、本考案の趣旨に沿って適宜変更することができる。
【産業上の利用可能性】
【００２９】
本考案は、セロハンテープ等を保持するテープカッターに利用することができる。
【符号の説明】
【００３０】
１  テープカッター
２  フレーム
３  巻芯保持部
４，４Ｂ  係止部
５  切断部
６  収容部
１５  凸部
１６  凸部
１７  粘着ゲルシート
１８  粘着ゲルシート
２１  保持部（円柱状部）
２２  円錐台部
２３  円錐台部
２６  （切断部の）刃
２８  揺動軸
７１  巻芯
Ｍ  テープ（セロハンテープ）
【図１】
0003155222.tif 000003
【図２】
0003155222.tif 000004
【図３】
0003155222.tif 000005
【図４】
0003155222.tif 000006
【図５】
0003155222.tif 000007
【図６】
0003155222.tif 000008